(57)【要約】【課題】  従来のインクジェット記録で用いられている尿素や尿素誘導体を添加したインクと同様に良好な間欠吐出性に優れ、且つ染料の色味変化、及び染料の凝集による沈殿物の発生を生ずることのない長期保存安定性に優れたインクジェット用インクを提供すること。【解決手段】  水溶性有機溶剤Ａ及びＨＯＣＨ2（ＣＨ2）nＣＨ2ＯＨ（ｎ＝１から６）で表される水溶性有機溶剤Ｂを各々６質量％以上と、２種以上の染料とを含有するインクジェット用インクにおいて、上記水溶性有機溶剤Ａが上記２種以上の染料全てに対して良溶媒である関係にあり、上記水溶性有機溶剤Ｂが上記２種以上の染料全てに対して貧溶媒である関係にあることを特徴とするインクジェット用インク。【選択図】  なし【特許請求の範囲】
【請求項１】
水溶性有機溶剤Ａ及びＨＯＣＨ2(ＣＨ2)nＣＨ2ＯＨ（ｎ＝１から６）で表される水溶性有機溶剤Ｂを各々６質量％以上と、２種以上の染料とを含有するインクジェット用インクにおいて、上記水溶性有機溶剤Ａが上記２種以上の染料全てに対して良溶媒である関係にあり、上記水溶性有機溶剤Ｂが上記２種以上の染料全てに対して貧溶媒である関係にあることを特徴とするインクジェット用インク。
【請求項２】
上記水溶性有機溶剤Ａが、グリセリンである請求項１に記載のインクジェット用インク。
【請求項３】
上記水溶性有機溶剤Ｂが、１，５−ペンタンジオールである請求項１に記載のインクジェット用インク。
【請求項４】
上記染料の一つが下記構造Ｉの染料である請求項１〜３の何れか１項に記載のインクジェット用インク。
2005298609.tif 000010
（式中、Ｒ1及びＲ2は各々独立に置換若しくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【請求項５】
上記染料の更に別の一つが下記構造IIの染料である請求項１〜３の何れか１項に記載のインクジェット用インク。
2005298609.tif 000011
（上記式中、Ｍはアルカリ金属又はアンモニウムである。又、Ｒ7はＯＨ、ＣＯＯＭ、Ｒ8ＣＯＯＭ（Ｒ8はＣ４〜Ｃ９のアルキル基）を表し、ｘ、ｙ、ｚはそれぞれ独立に０、１、２、３又は４である。）
【請求項６】
温度調整機能を有するインクジェットヘッドを有するインクジェットプリンタ用のインクである請求項１〜５の何れか１項に記載のインクジェット用インク。
【請求項７】
請求項１〜５の何れか１項に記載のインクジェット用インクを昇温させた後、吐出させることを特徴とするインクジェット記録方法。
【請求項８】
上記昇温させた到達温度が２５℃以上である請求項６に記載のインクジェット記録方法。
【発明の詳細な説明】
【技術分野】
【０００１】
本発明は、間欠吐出の安定性に優れたインクジェット用のインク、当該インクを用い、間欠吐出の安定性を向上させたインクジェット記録方法に関する。
【背景技術】
【０００２】
従来、インクジェット用インクの間欠吐出の安定性を向上させることを目的として、水の蒸発に伴う目詰りを防止するために、保湿剤として、尿素や尿素誘導体等をインク中に添加することが一般に行われている（特許文献１）。又、上記インクの間欠吐出の安定性を向上させることを目的として、染料の水や各種溶媒への溶解性を高めるために、染料の溶解助剤として尿素や尿素誘導体等をインク中に添加することが一般に行われている（特許文献２）。
【０００３】
しかし、染料のなかには、尿素の分解によって発生するアンモニウムイオンにより染料の色味変化や染料の凝集を生ずるものも多く、尿素を添加したインクを長期間保存しておくと、染料の凝集による沈殿物が発生し、インクジェット記録装置のインク吐出口或いはインク供給管内等で目詰りを生ずることがあるという問題があった。
【０００４】
【特許文献１】特開昭５７−７４３７２号公報
【特許文献２】特開平２−１７３１６８号公報
【発明の開示】
【発明が解決しようとする課題】
【０００５】
従って本発明の目的は、従来のインクジェット記録で用いられている尿素や尿素誘導体を添加したインクと同様に良好な間欠吐出性に優れ、且つ染料の色味変化、及び染料の凝集による沈殿物の発生を生ずることのない長期保存安定性に優れたインクジェット用インク及び該インクを用いたインクジェット記録方法を提供することにある。
【課題を解決するための手段】
【０００６】
上記目的は以下の本発明によって達成される。即ち、本発明は、水溶性有機溶剤Ａ及びＨＯＣＨ2（ＣＨ2）nＣＨ2ＯＨ（ｎ＝１から６）で表される水溶性有機溶剤Ｂを各々６質量％以上と、２種以上の染料とを含有するインクジェット用インクにおいて、上記水溶性有機溶剤Ａが上記２種以上の染料全てに対して良溶媒である関係にあり、上記水溶性有機溶剤Ｂが上記２種以上の染料全てに対して貧溶媒である関係にあることを特徴とするインクジェット用インクを提供する。
【０００７】
上記本発明においては、上記水溶性有機溶剤Ａが、グリセリンであること；上記水溶性有機溶剤Ｂが、１，５−ペンタンジオールであること；上記染料の一つが下記構造Ｉの染料であることが好ましい。
2005298609.tif 000002
（式中、Ｒ1及びＲ2は各々独立に置換若しくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【０００８】
又、上記本発明においては、上記染料の更に別の一つが下記構造IIの染料であること；
2005298609.tif 000003
（上記式中、Ｍはアルカリ金属（例えばＬｉ、Ｎａ、Ｋ、Ｒｂ、Ｃｓ、Ｆｒ等）又はアンモニウムである。又、Ｒ7はＯＨ、ＣＯＯＭ、Ｒ8ＣＯＯＭ（Ｒ8はＣ４〜Ｃ９のアルキル基）を表し、ｘ、ｙ、ｚはそれぞれ独立に０、１、２、３又は４である。）
【０００９】
又、本発明は、上記本発明のインクジェット用インクを昇温させた後、吐出させることを特徴とするインクジェット記録方法を提供する。該方法においては、上記昇温させた到達温度が２５℃以上であることが好ましい。
【発明の効果】
【００１０】
本発明によれば、従来の尿素又はその誘導体を添加したインクと同様の間欠吐出の安定性を有し、且つ染料の色味変化、及び染料の凝集による沈殿物の発生を生ずることのない長期保存安定性に優れたインクジェット用インクが提供され、又、本発明のインクを用いたインクジェット記録方法によれば、前記特性を有する記録を的確に行うことができる。
【発明を実施するための最良の形態】
【００１１】
次に発明を実施するための最良の形態を挙げて本発明を更に詳しく説明する。  本発明のインクは、水溶性有機溶剤Ａ及びＨＯＣＨ2（ＣＨ2）nＣＨ2ＯＨ（ｎ＝１から６）で表される水溶性有機溶剤Ｂを各々６質量％以上と、２種以上の染料とを含有するインクジェット用インクにおいて、上記水溶性有機溶剤Ａが上記２種以上の染料全てに対して良溶媒である関係にあり、上記水溶性有機溶剤Ｂが上記２種以上の染料全てに対して貧溶媒である関係にあることを特徴とするインクジェット用インクである。
【００１２】
以下、本発明を構成する材料について夫々説明する。本発明のインクは、水溶性有機溶剤Ａ及びＨＯＣＨ2(ＣＨ2)nＣＨ2ＯＨ（ｎ＝１から６）で表される水溶性有機溶剤Ｂを各々６質量％以上含有することを特徴とする。ここで、水溶性有機溶剤Ａは、後述する２種以上の染料に対して良溶媒となるものであればよい。この水溶性有機溶剤Ａは、組み合わせる２種以上の染料との組み合わせにより、使用可能な溶剤が変わってくる。選択される染料によっては、同じ溶剤であっても良溶媒にも貧溶媒にもなり得るためである。このため、水溶性有機溶剤Ａは組み合わせる２種以上の染料とセットで上記要件を満たすように選択する必要がある。ただし、当該要件を満たすのであれば、水溶性有機溶剤Ａは特に限定されない。しかし、このように水溶性有機溶剤Ａは特に限定はされないが、２種の染料を適当に選択することにより、グリセリンを用いることが、特に、本発明の目的である間欠吐出性の安定性の向上効果を大きく発揮させることができるので好ましい。
【００１３】
本発明において用いる水溶性有機溶剤Ａの好ましい含有量は、質量基準で６％以上が好ましく、２０％以内であることが好ましい。又、１５％以内であることが更に好ましい。水溶性有機溶剤Ａの含有量が６％未満では、本発明の目的である間欠吐出性の安定性の効果が充分に得られず、２０％を超えた場合は、本発明の目的である間欠吐出性の安定性の効果が充分に得られにくいためである。
【００１４】
又、本発明で使用するＨＯＣＨ2(ＣＨ2)nＣＨ2ＯＨ（ｎ＝１から６）で表される水溶性有機溶剤Ｂとしては、１，５−ペンタンジオールが好ましく、質量基準で６％以上が好ましく、２０％以内で使用されるのが好ましい。又、１５％以内で使用されるのが更に好ましい。水溶性有機溶剤Ｂの含有量が６％未満では、本発明の目的である間欠吐出性の安定性の効果が充分に得られず、２０％を超えた場合は、本発明の目的である間欠吐出性の安定性の効果が充分に得られにくいためである。
【００１５】
又、水溶性有機溶剤ＡとＨＯＣＨ2(ＣＨ2)nＣＨ2ＯＨ（ｎ＝１から６）で表される水溶性有機溶剤Ｂとの好ましい比率は、質量基準で３：１〜１：３の範囲内である。
【００１６】
本発明では、水溶性有機溶剤Ａ及びＨＯＣＨ2(ＣＨ2)nＣＨ2ＯＨ（ｎ＝１から６）で表される水溶性有機溶剤Ｂを各々６質量％以上含有していれば、更に他の水溶性有機溶剤を含有させることができる。本発明で使用することができる水溶性有機溶剤としては、具体的には、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン共重合体；エチレングリコール、プロピレングリコール、トリメチレングリコール、トリエチレングリコール、１，２，６−ヘキサントリオール等のアルキレン基が２〜６個の炭素原子を含むアルキレングリコール類；トリメチロールプロパン；エチレングリコールモノメチル（又はエチル）エーテル、ジエチレングリコールモノメチル（又はエチル）エーテル、トリエチレングリコールモノメチル（又はエチル）エーテル等の低級アルキルエーテル類；トリエチレングリコールジメチル（又はエチル）エーテル、テトラエチレングリコールジメチル（又はエチル）エーテル等の多価アルコールの低級ジアルキルエーテル類；モノエタノールアミン、ジエタノールアミン、トリエタノールアミン等のアルカノールアミン類；スルホラン、Ｎ−メチル−２−ピロリドン、２−ピロリドン、１，３−ジメチル−２−イミダゾリジノン等が挙げられる。上記のごとき水溶性有機溶剤は、単独でも或いは混合物としても使用することができる。
【００１７】
本発明のインク中に含有される上記したような水溶性有機溶剤の含有量は、特に限定されないが、インク全質量に対して、好ましくは５０質量％以下の範囲である。特に、水溶性有機溶剤ＡとＨＯＣＨ2(ＣＨ2)nＣＨ2ＯＨ（ｎ＝１から６）で表される水溶性有機溶剤Ｂの和と上記水溶性有機溶剤との比が質量基準で１：２以下の範囲となるようにすることが好ましい。
【００１８】
又、本発明は、２種以上の染料を含有し、上記水溶性有機溶剤Ａが上記２種以上の染料全てに対して良溶媒である関係にあり、上記水溶性有機溶剤Ｂが上記２種以上の染料全てに対して貧溶媒である関係にあることの要件を備えたものであれば特に限定はないが、以下の構造Ｉで表される構造を有する染料を当該２種以上の染料の一つとして、特に好ましく使用することができる。
【００１９】
2005298609.tif 000004
【００２０】
（式中、Ｒ1及びＲ2は各々独立に置換若しくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【００２１】
ここで、上記染料の好ましい例として、下記表１に記載の染料が挙げられるが、当然、本発明は、以下の例示の染料に限られるわけではない。
【００２２】
2005298609.tif 000005
【００２３】
更に、上記染料の更に別の一つが下記構造IIで表される構造を有する染料を当該２種以上の染料の更なる別の一つとして、特に好ましく使用することができる。
2005298609.tif 000006
（上記式中、Ｍはアルカリ金属（例えばＬｉ、Ｎａ、Ｋ、Ｒｂ、Ｃｓ、Ｆｒ等）又はアンモニウムである。又、Ｒ7はＯＨ、ＣＯＯＭ、Ｒ8ＣＯＯＭ（Ｒ8はＣ４〜Ｃ９のアルキル基）を表し、ｘ、ｙ、ｚはそれぞれ独立に０、１、２、３又は４である。）
【００２４】
ここで、貧溶媒及び良溶媒の定義であるが、本発明においては、２５℃環境下で粉状の染料を２４時間、密閉状態で攪拌させた場合に染料が５質量％未満しか溶解しない溶媒を貧溶媒、５質量％以上溶解する溶媒を良溶媒と定義する。染料がどれくらい溶解しているかについては、例えば、水に染料を１質量％、５質量％、１０質量％と溶解させた染料水溶液でその染料の吸光度を測ることにより検量線を作り、そこから例えば染料を１０質量％含有させ上記要件で溶解させた溶液を濾過したものの吸光度を測定することにより、吸光度の比率から簡単に求めることができる。上記２種類の染料のインク中における好ましい含有量は、染料トータルで、質量換算で０．１〜１０質量％である。
【００２５】
又、本発明のインクに含有される水の含有量は、インク全質量に対して、好ましくは５０〜９５質量％の範囲である。更に、本発明のインクは、所望の物性値を有するインクとするために、上記した成分の他に必要に応じて、界面活性剤、消泡剤、防腐剤、防カビ剤等を添加することができる。
【００２６】
本発明のインクは、温度調整機能を有するインクジェットヘッドを有するインクジェットプリンタに使用されると、更に効果的であるという特徴を有する。本発明のインクが間欠吐出の安定性に効果的であるメカニズムの詳細は不明であるが、水溶性有機溶剤Ａ及びＨＯＣＨ2(ＣＨ2)nＣＨ2ＯＨ（ｎ＝１から６）で表される水溶性有機溶剤Ｂを本発明に規定する量を含有しており、更に、２種以上の染料を含有し、上記水溶性有機溶剤Ａが上記２種以上の染料全てに対して良溶媒である関係にあり、上記水溶性有機溶剤Ｂが上記２種以上の染料全てに対して貧溶媒である関係にある場合、ノズル近傍で吐出に影響しないような薄膜を構成しインクの蒸発を抑えているためであると考えている。温度調整機能を有し、上記インクを昇温させた状態で吐出させると、更にこの現象が顕著になるため、当該温度調整機能を有するインクジェットヘッドを有するインクジェットプリンタに使用されると、更に効果的であると推測している。
【００２７】
本発明の別の形態として、上記インクジェット用インクを昇温させた状態で吐出させることを特徴とするインクジェット記録方法がある。又、上記昇温させた到達温度が２５℃以上である場合特に効果的であり、上記昇温させた到達温度が２５℃以上であることを特徴とするインクジェット記録方法が特に好ましい形態である。
【００２８】
当該インクジェット記録方法を達成するインクジェット用インクを昇温（温調）させた状態で吐出させることができる、インクジェット記録装置の例を図１に、インクジェットカートリッジの例を図２に、ヘッドの例を図３に挙げる。
【００２９】
図１は、本発明が実施若しくは適用される好適なインクジェット記録装置の構成を示す斜視図である。図１において、５００１はインクタンク（ＩＴ）であり、５０１２はそれに結合された記録ヘッド（ＩＪＨ）である。図２に示すように、５００１のインクタンクと５０１２の記録ヘッドで一体型の交換可能なカートリッジ（ＩＪＣ）を形成するものである。５０１４は、そのカートリッジ（ＩＪＣ）をプリンター本体に取り付けるためのキャリッジ（ＨＣ）であり、５００３はそのキャリッジを副走査方向に走査するためのガイドである。
【００３０】
５０００は、Ｐで示す被印字物を主走査方向に走査させるためのプラテンローラである。５０２４は、装置内の環境温度を測定するための温度センサーである。尚、キャリッジ５０１４には、記録ヘッド５０１２に対して駆動のための信号パルス電流やヘッド温調用電流を流すためのフレキシブルケーブル（図示せず）が、プリンターをコントロールするための電気回路（上記温度センサー５０１２等）を具備したプリント板（図示せず）に接続されている。
【００３１】
図２は、交換可能なカートリッジを示し、５０２９はインク滴を吐出するためのノズル部である。更に、上記構成のインクジェット記録装置ＩＪＲＡを詳細に説明する。この記録装置ＩＪＲＡは駆動モータ５０１３の正逆回転に連動して駆動力伝達ギア５０１１、５００９を介して回転するリードスクリュー５００５の螺旋溝５００４に対して係合するキャリッジＨＣはピン（不図示）を有し、矢印ａ、ｂ方向に往復移動される。５００２は紙押え板であり、キャリッジ移動方向にわたって紙をプラテン５０００に対して押圧する。５００７、５００８はフォトカプラでキャリッジＨＣのレバー５００６のこの域での存在を確認してモータ５０１３の回転方向切換等を行うためのホームポジション検知手段である。５０１６は記録ヘッドの前面をキャップするキャップ部材５０２２を支持する部材で、５０１５はこのキャップ内を吸引する吸引手段であり、キャップ内開口５０２３を介して記録ヘッド５０１２の吸引回復を行う。
【００３２】
５０１７は、クリーニングブレードで、５０１９はこのブレード５０１７を前後方向に移動可能にする部材であり、本体支持板５０１８にこれらは支持されている。ブレードは、この形態でなく周知のクリーニングブレードが本例に適用できることはいうまでもない。又、５０２１は、吸引回復の吸引を開始するためのレバーで、キャリッジＨＣと係合するカム５０２０の移動に伴って移動し、駆動モータからの駆動力がクラッチ切換等の公知の伝達手段で移動制御される。
【００３３】
これらのキャッピング、クリーニング、吸引回復は、キャリッジＨＣがホームポジション側領域にきたときに、リードスクリュー５００５の作用によってそれらの対応位置で所望の処理が行えるように構成されているが、周知のタイミングで所望の作動を行うようにすれば、本例には何れも適用できる。
【００３４】
図３は記録ヘッド５０１２の詳細を示すものであり、支持体５３００の上面に半導体製造プロセスにより形成されたヒータボード５１００が設けられている。このヒータボード５１００に同一の半導体製造プロセスで形成された、記録ヘッド５０１２を保温し、温調するための温調用ヒータ（昇温用ヒータ）５１１０が設けられている。符号５２００は前記支持体５３００上に配設された配線基板であって、該配線基板５２００と温調用ヒータ５１１０及び吐出用（メイン）ヒータ５１１３とがワイヤーボンディング等により配線されている（配線は不図示）。又、温調用ヒータ５１１０は、支持体５３００等にヒータボード５１００とは別のプロセスにより形成されたヒータ部材を貼りつけたものでもよい。
【００３５】
５１１４は吐出用ヒータ５１１３によって加熱されて発生したバブルである。５１１５は吐出されたインク液滴を示す。５１１２は吐出用のインクが記録ヘッド内に流入するための共通液室である。
【実施例】
【００３６】
次に、実施例及び比較例を挙げて本発明をより具体的に説明するが、本発明はその要旨を超えない限り、下記実施例により限定されるものではない。尚、文中、「部」、「％」とあるのは特に断りのない限り質量基準である。
【００３７】
［実施例１］
以下の成分を混合し、充分攪拌して溶解した後、ポアサイズ０．２μｍのミクロフィルター（富士フィルム製）にて加圧濾過し、本発明のインクを調製した。
・グリセリン                                                    １０部
・１，５−ペンタンジオール                                      １０部
・下記構造Ｉ−１の染料のリチウム塩とナトリウム塩の混合物（モル比  Ｌｉ
塩：Ｎａ塩＝２：１）                                              ３部
・下記構造II−１の染料                                            １部
・水                                                            ７６部
【００３８】
2005298609.tif 000007
【００３９】
2005298609.tif 000008
［ただし、（ｍ＝１、ｎ＝２）、（ｍ＝１、ｎ＝３）、（ｍ＝２、ｎ＝１）、（ｍ＝２、ｎ＝２）、（ｍ＝３、ｎ＝０）、（ｍ＝３、ｎ＝１）、（ｍ＝４、ｎ＝０）の混合物。］
【００４０】
尚、上記構造Ｉ−１の染料のリチウム塩とナトリウム塩の混合物（モル比  Ｌｉ塩：Ｎａ塩＝２：１）の粉状染料５ｇを、グリセリン２０ｇ中に含有させた後に２５℃環境下で２４時間、密閉状態で攪拌させた後、その吸光度を測定することにより溶解度を測定したところ、その溶解度は２０％（本測定法における上限値）であった。又、同様に１，５−ペンタンジオールに対する溶解度を測定したところ、その溶解度は１．５％であった。次に、同様な方法で上記構造II−１の染料についてのグリセリンに対する溶解度を測定したところ１６．５％、１，５−ペンタンジオールに対する溶解度を測定したところ０．９％であった。これより、上記構造Ｉ−１の染料のリチウム塩とナトリウム塩の混合物（モル比  Ｌｉ塩：Ｎａ塩＝２：１）及び上記構造II−１の染料にとって、ともにグリセリンは良溶媒となり、１，５−ペンタンジオールはともに貧溶媒となるということを確認した。
【００４１】
［実施例２］
以下の成分を混合し、充分攪拌して溶解した後、ポアサイズ０．２μｍのミクロフィルター（富士フィルム製）にて加圧濾過し、本発明のインクを調製した。
・グリセリン                                                    １０部
・１，５−ペンタンジオール                                        ６部
・エチレングリコール                                              ８部
・上記構造Ｉ−１の染料のリチウム塩とナトリウム塩の混合物（モル比  Ｌｉ
塩：Ｎａ塩＝２：１）                                              ３部
・上記構造II−１の染料                                            １部
・水                                                            ７２部
【００４２】
尚、上記構造Ｉ−１の染料のリチウム塩とナトリウム塩の混合物（モル比  Ｌｉ塩：Ｎａ塩＝２：１）の粉状染料５ｇを、エチレングリコール２０ｇ中に含有させた後に２５℃環境下で２４時間、密閉状態で攪拌させた後、その吸光度を測定することにより溶解度を測定したところ、その溶解度は２０％（本測定法における上限値）であった。又、同様な方法で上記構造II−１の染料についてのエチレングリコールに対する溶解度を測定したところ２０％（本測定法における上限値）であった。
【００４３】
［実施例３］
以下の成分を混合し、充分攪拌して溶解した後、ポアサイズ０．２μｍのミクロフィルター（富士フィルム製）にて加圧濾過し、本発明のインクを調製した。
・グリセリン                                                      ６部
・１，５−ペンタンジオール                                      １０部
・エチレングリコール                                              ９部
・上記構造Ｉ−１の染料のリチウム塩とナトリウム塩の混合物（モル比  Ｌｉ
塩：Ｎａ塩＝２：１）                                              ３部
・上記構造II−１の染料                                            １部
・水                                                            ７１部
【００４４】
［比較例１］
以下の成分を混合し、充分攪拌して溶解した後、ポアサイズ０．２μｍのミクロフィルター（富士フィルム製）にて加圧濾過し、比較例のインクを調製した。
・グリセリン                                                    ２５部
・上記構造Ｉ−１の染料のリチウム塩とナトリウム塩の混合物（モル比  Ｌｉ
塩：Ｎａ塩＝２：１）                                              ３部
・上記構造II−１の染料                                            １部
・水                                                            ７１部
【００４５】
［比較例２］
以下の成分を混合し、充分攪拌して溶解した後、ポアサイズ０．２μｍのミクロフィルター（富士フィルム製）にて加圧濾過し、比較例のインクを調製した。
・１，５−ペンタンジオール                                      ２５部
・上記構造Ｉ−１の染料のリチウム塩とナトリウム塩の混合物（モル比  Ｌｉ
塩：Ｎａ塩＝２：１）                                              ３部
・上記構造II−１の染料                                            １部
・水                                                            ７１部
【００４６】
［比較例３］
以下の成分を混合し、充分攪拌して溶解した後、ポアサイズ０．２μｍのミクロフィルター（富士フィルム製）にて加圧濾過し、比較例のインクを調製した。
・グリセリン                                                    ２０部
・１，５−ペンタンジオール                                        ５部
・上記構造Ｉ−１の染料のリチウム塩とナトリウム塩の混合物（モル比  Ｌｉ
塩：Ｎａ塩＝２：１）                                              ３部
・上記構造II−１の染料                                            １部
・水                                                            ７１部
【００４７】
［比較例４］
以下の成分を混合し、充分攪拌して溶解した後、ポアサイズ０．２μｍのミクロフィルター（富士フィルム製）にて加圧濾過し、比較例のインクを調製した。
・グリセリン                                                    １０部
・１，５−ペンタンジオール                                      １０部
・上記構造Ｉ−１の染料のリチウム塩とナトリウム塩の混合物（モル比  Ｌｉ
塩：Ｎａ塩＝２：１）                                              ４部
・水                                                            ７６部
【００４８】
［比較例５］
以下の成分を混合し、充分攪拌して溶解した後、ポアサイズ０．２μｍのミクロフィルター（富士フィルム製）にて加圧濾過し、比較例のインクを調製した。
・グリセリン                                                    １０部
・１，５−ペンタンジオール                                        ６部
・エチレングリコール                                              ８部
・上記構造Ｉ−１の染料のリチウム塩とナトリウム塩の混合物（モル比  Ｌｉ
塩：Ｎａ塩＝２：１）                                              ４部
・水                                                            ７２部
【００４９】
［比較例６］
以下の成分を混合し、充分攪拌して溶解した後、ポアサイズ０．２μｍのミクロフィルター（富士フィルム製）にて加圧濾過し、比較例のインクを調製した。
・グリセリン                                                      ６部
・１，５−ペンタンジオール                                      １０部
・エチレングリコール                                              ９部
・上記構造Ｉ−１の染料のリチウム塩とナトリウム塩の混合物（モル比  Ｌｉ
塩：Ｎａ塩＝２：１）                                              ４部
・水                                                            ７１部
【００５０】
＜評価１＞
（間欠吐出安定性評価方法及び評価基準）
上記、実施例１〜３及び比較例１〜６のインクを用いて、インクジェットヘッドにおける間欠吐出安定性の評価を行った。評価は、キヤノン製ＢＪＳ−９５０ｉ改造機を用いて行った。先ず、温度１５℃、湿度１０％の環境下で、インクジェットヘッドのノズル部のインクが温度上昇しない条件で、ある一定の吐出休止時間の間隔で縦罫線を印字し、一定の休止時間を設けた後、最初に吐出されて形成される縦罫線を目視にて下記の基準で評価した。
◎：縦罫線に全く乱れがなく正常に印字できる。
○：縦罫線に目視では確認できない程度の若干の乱れが確認される。
△：縦罫線に目視で確認できる程度の若干の乱れが確認される。
×：縦罫線に不吐出や乱れがはっきりと確認される。
【００５１】
＜評価２＞
（間欠吐出安定性評価方法及び評価基準）
上記、実施例１〜３及び比較例１〜６のインクを用いて、インクジェットヘッドにおける間欠吐出安定性の評価を行った。評価は、インクジェットヘッドのノズル部のインクが吐出直前に２５℃に保たれるキヤノン製ＢＪＳ−９５０ｉ改造機を用いて、評価１と同一環境下、同一評価基準で行った。
上記、評価１、評価２の結果を下記表２に示す。
【００５２】
2005298609.tif 000009
【００５３】
上記表２から明らかなように、実施例１〜３のインクでは一定の吐出休止時間後にも、正常なインク吐出ができ、これらのインクが間欠吐出安定性に優れていることを確認できた。又、評価２の方法であるインクジェット用インクを吐出直前に昇温させることを特徴とするインクジェット記録方法によって、更に効果的となることも確認できた。
【産業上の利用可能性】
【００５４】
本発明によれば、従来のインクジェット記録で用いられている尿素や尿素誘導体を添加したインクと同様に良好な間欠吐出性に優れ、且つ染料の色味変化、及び染料の凝集による沈殿物の発生を生ずることのない長期保存安定性に優れたインクジェット用インク及び該インクを用いたインクジェット記録方法が提供される。
【図面の簡単な説明】
【００５５】
【図１】本発明が実施若しくは適用される好適なインクジェット記録装置の構成を示す斜視図である。
【図２】交換可能なカートリッジを示す斜視図である。
【図３】記録ヘッドの断面図である。
【符号の説明】
【００５６】
５０００：プラテンローラ
５００１：インクタンク（ＩＴ）
５００２：紙押え板
５００３：ガイド
５００４：螺旋溝
５００５：リードスクリュー
５００６：レバー
５００７：フォトカプラ
５００８：フォトカプラ
５００９：駆動力伝達ギア
５０１０：駆動力伝達ギア
５０１１：駆動力伝達ギア
５０１２：記録ヘッド（ＩＪＨ）
５０１３：駆動モータ
５０１４：キャリッジ（ＨＣ）
５０１５：キャップ内吸引手段
５０１６：キャップ支持部材
５０１７：クリーニングブレード
５０１８：本体支持板
５０１９：クリーニングブレード移動可能部材
５０２０：カム
５０２２：キャップ部材
５０２３：キャップ内開口
５０２４：温度センサー
５０２９：ノズル部
５１００：ヒータボード
５１１０：温調用ヒータ（昇温用ヒータ）
５１１２：共通液室
５１１３：吐出用（メイン）ヒータ
５１１４：バブル
５１１５：インク液滴
５２００：配線基板
５３００：支持体
【図１】
2005298609.tif 000012
【図２】
2005298609.tif 000013
【図３】
2005298609.tif 000014